(57)【要約】 【課題】本発明は、チューブ等に入った硬質軟膏薬を使用する際に軟膏薬を切断する器具に関する発明である。【解決手段】本発明は、先端を尖鋭に形成したＬ字型の軟膏薬切断刃４を、内壁面にネジ山を形成した螺合孔３ｃを設け、基台上面３ａから基台下面３ｂにかけて徐々に径を大きく形成し基台上面３ａに取り付けた切断器本体２と、外周面に細かい凹凸６ａを施し、上部６ｂから下部６ｃにかけて径が徐々に大きく形成し前記切断器本体２に被せるキャップ６とからなることを特徴とする軟膏薬切断器の構成とした。【選択図】  図５
2006290410.tif 000002
【特許請求の範囲】
【請求項１】
先端を尖鋭に形成したＬ字型の軟膏薬切断刃を、内壁面にネジ山を形成し螺合孔を形成し基台上面から基台下面にかけて徐々に径を大きくした基台上面に取り付けた切断器本体と、外周面に細かい凹凸を施し、上部から下部にかけて径を徐々に大きく形成し、前記切断器本体に被せるキャップとからなることを特徴とする軟膏薬切断器。
【請求項２】
内壁面の下端に内方に突出する脹らみを設けたことを特徴とする請求項１に記載の軟膏薬切断器。
【発明の詳細な説明】
【技術分野】
【０００１】
本発明は、チューブ等に入った硬質軟膏薬を使用する際に軟膏薬を切断する器具に関する発明である。
【背景技術】
【０００２】
従来の硬質軟膏薬は使用する際にチューブから軟膏薬を押し出して使用する分量を手等でぬぐって取っていた。
【０００３】
しかしながら、手等でぬぐうとなると軟膏薬をうまく切断できなかったり分量が合わなくなってしまうことがあった。また、軟膏薬と手が直接触れるため衛生面でも問題があった。
【特許文献１】特願昭５８−２１３０３９号公報
【発明の開示】
【発明が解決しようとする課題】
【０００４】
そこで、本発明は、直接手に触れることなく衛生的で簡単に軟膏薬を切断できる軟膏薬切断器を提供することを目的とするものである。
【課題を解決するための手段】
【０００５】
本発明は、上記の課題を解決するために、先端を尖鋭に形成したＬ字型の軟膏薬切断刃４を、内壁面にネジ山３ｄを形成した螺合孔３ｃを設け、基台上面３ａから基台下面３ｂにかけて徐々に径を大きく形成し、基台上面３ａに取り付けた切断器本体２と、外周面に細かい凹凸６ａを施し、上部６ｂから下部６ｃにかけて径を徐々に大きく形成し前記切断器本体２に被せるキャップ６とからなることを特徴とする軟膏薬切断器の構成とした。
【発明の効果】
【０００６】
本発明の軟膏薬切断器は、市販の軟膏薬のチューブ等に取り付ける事で、硬質の切断しにくい軟膏薬を簡単・衛生的に切断することができる。
【発明を実施するための最良の形態】
【０００７】
直接手に触れることなく衛生的で簡単に軟膏薬を切断できる軟膏薬切断器という目的を、切断用の板を設けた器具を軟膏薬のチューブに嵌着させることで実現した。
【実施例１】
【０００８】
以下に添附図面に基づき、本発明である軟膏薬切断器１について詳細に説明する。図１は本発明である軟膏薬切断器の正面図、図２は軟膏薬切断器の断面図、図３は軟膏薬切断器の切断器本体の平面図、図４は軟膏薬切断器の切断器本体の斜視図である。
【０００９】
図１及び図２に示すように、軟膏薬切断器１は切断器本体２と切断器本体２に被せるキャップ６とからなり、前記切断器本体２は中空の基台３と前記基台３上に起立して取り付けられた軟膏薬切断刃４とからなる。
【００１０】
前記切断器本体２を構成する基台３は中空で空洞部３ｃを設けており、前記空洞部３ｃの内壁面にはネジ山３ｄが施されている。また、基台３の基台上面３ａの径は基台下面３ｂの径よりも小さく即ち下部へ向かうに従って径が大きくなったテーパー状をしている。
【００１１】
前記軟膏薬切断刃４は前記基台３上に起立して取り付けられる起立部５ａと起立部５ａの上端に水平に取り付けられた水平部５とからなり、前記水平部５の先端は尖鋭な傾斜部５ｂとなっている略Ｌ字型の部材である。尚、軟膏薬切断刃４は基台上面３ａ上の縁付近に取り付けられ、更に水平部５の先端である傾斜部５ｂが内側に向かうように取り付けられている。
【００１２】
前記基台３に接続された軟膏薬切断刃４はプラスチック等の弾性を持つ素材が好ましい。弾性を持つ素材であることにより、手又は指で押しても元に戻り、使用しやすくなる。
【００１３】
図２に示すように、前記切断器本体２に被せるためのキャップ６は、蓋であるため上部６ｂは閉じ、下部６ｃが開口している。内部は中空６ｄで前記上部６ｂの径よりも下部６ｃの径の方が大きいため下部６ｃに向かって徐々に径が広がるテーパー状をしている。尚、キャップ６の外周面には細かな凹凸６ａが形成されていて、キャップ６を外す際に手の滑り止めの役割を果たしている。
【００１４】
前記基台３及びキャップ６はそれぞれ径の違うテーパー状をしているため、切断器本体２を取り付けた軟膏薬チューブを使用しない場合はキャップ６を被せて軟膏薬が乾くのを防ぎ、使用する場合も容易にキャップ６を取り外すことができる。前記キャップ６の内壁面下部には脹らみ６ｅを設けたため切断器本体２にキャップ６を取り付けた後、前記脹らみ６ｅに切断器本体２の基台下面３ｂが引っ掛かり自然に外れてしまうことがない。
【００１５】
図３及び図４に示すように、切断器本体２は平面より見ると軟膏薬切断刃４の先端である傾斜部５ｂが空洞部３ｃに少し重なる位置まで伸びている。また、空洞部３ｃの内壁面にネジ山３ｄが施されているのが分かる。
【００１６】
図５は本発明である軟膏薬切断器を装着した状態を示した斜視図、図６は軟膏薬切断器を装着した状態を示す断面図、図７は軟膏薬切断器を装着した状態を示す断面図である。
【００１７】
図５から図７に示すように、軟膏薬チューブ７の吐出口７ｂを基台３に設けられた空洞部３ｃの中を通すように嵌めて装着する。このとき吐出口７ｂの根本までしっかりと切断器本体２が装着されるように基台３の内壁面のネジ山３ｄと軟膏薬チューブ７の吐出口７ｂの外周面に設けられたネジ山７ｃを螺合させて取り付ける。
【００１８】
図５に示すように軟膏薬チューブ７のチューブ本体７ａの腹を押すことにより吐出口７ｂから軟膏薬８が押し出されるので、適量の位置まで軟膏薬８を押出し、図６に示すように起立部５ａを前に押し水平部５の先端である傾斜部５ｂを軟膏薬８に食い込ませて軟膏薬８を切断する。
【００１９】
図７に示すように、軟膏薬切断器１は使用しない時は軟膏薬チューブ７に取り付けた状態のまま保管することができる。この時切断器本体２にキャップ６をかぶせることで軟膏薬の乾燥や汚れの付着を防ぐ。キャップ６をはずせばまたそのまま使用できる。
【００２０】
図８は本発明である軟膏薬切断器の使用方法を示した図である。図８に示すように、切断器本体２を取り付けた軟膏薬チューブ７を患部９に向け軟膏薬８を適量吐出し、指１０で起立部５ａを押すことで軟膏薬切断刃４が軟膏薬８を切断する。
【００２１】
この時、軟膏薬は直接手や指等に触れることがないため、より衛生的に使用できる。
【図面の簡単な説明】
【００２２】
【図１】本発明である軟膏薬切断器の正面図である。
【図２】本発明である軟膏薬切断器の断面図である。
【図３】本発明である軟膏薬切断器の切断器本体の平面図である。
【図４】本発明である軟膏薬切断器の切断器本体の斜視図である。
【図５】本発明である軟膏薬切断器を装着した状態を示した斜視図である。
【図６】本発明である軟膏薬切断器を装着した状態を示した断面図である。
【図７】本発明である軟膏薬切断器を装着した状態を示した断面図である。
【図８】本発明である軟膏薬切断器の使用方法を示した図である。
【符号の説明】
【００２３】
１      軟膏薬切断器
２      切断器本体
３      基台
３ａ    基台上面
３ｂ    基台下面
３ｃ    螺合孔
３ｄ    ネジ山
４      軟膏薬切断刃
５      水平部
５ａ    起立部
５ｂ    傾斜部
６      キャップ
６ａ    凹凸
６ｂ    上部
６ｃ    下部
６ｄ    中空
６ｅ    脹らみ
７      軟膏薬チューブ
７ａ    チューブ本体
７ｂ    吐出口
７ｃ    ネジ山
８      軟膏薬
９      患部
１０    指
【図１】
2006290410.tif 000003
【図２】
2006290410.tif 000004
【図３】
2006290410.tif 000005
【図４】
2006290410.tif 000006
【図５】
2006290410.tif 000007
【図６】
2006290410.tif 000008
【図７】
2006290410.tif 000009
【図８】
2006290410.tif 000010